(57)【要約】      （修正有）【課題】両面粘着テープ等を必要とせず、起立安定性に優れ、しかも組み立て、分解が極めて簡略である強化段ボール製の簡易パーテーションを提供する。【解決手段】強化段ボール製の簡易パーテーション１は、十字状連結具２と、四角形板状の仕切り壁材２１とを各々所要数用いて構成する。十字状連結具２は、長方形状で短辺の一端中央から他端側に向けて差し込み凹溝穴を設けた同一形状の２個の連結差し込み部材の間に差し込み凹溝穴内領域に突出することなくスペーサ材を挟み込んで、２個の連結差し込み部材の各長辺部分の間にスペーサ材の長辺端面部を底とする差し込み凹部１５を形成することにより連結材１１を構成し、２個の連結材１１を十字状配置に差し込み連結して構成する。十字状連結具２の差し込み凹部１５に仕切り壁材２１を差し込む。【選択図】図１
0003177322.tif 000002
【実用新案登録請求の範囲】
【請求項１】
強化段ボール製の簡易パーテーションであって、
長方形状で短辺の一端中央から他端側に向けて差し込み凹溝穴を設けた同一形状の２個の連結差し込み部材を重合するとともに、その間に前記差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成することにより連結材を構成し、２個の連結材を十字状配置に差し込み連結して構成した強化段ボール材からなる十字状連結具と、
前記十字状連結具の各長辺部分の差し込み凹部に差し込み用辺部を差し込む四角形板状で所要の表面積を有する強化段ボール材からなる仕切り壁材と、
を有し、
所要個数の十字状連結具と、所要個数の仕切り壁材との差し込み連結により、これらの使用個数に応じた所望面積の仕切り空間を形成するように構成したことを特徴とする強化段ボール製の簡易パーテーション。
【請求項２】
強化段ボール製の簡易パーテーションであって、
長辺寸法を任意長とした長方形状で短辺の一端中央から他端側に向けて差し込み凹溝穴を設けた同一形状の２個の連結差し込み部材を重合するとともに、その間に前記差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成することにより連結材を構成し、２個の連結材を各差し込み凹溝穴同士を対向配置状態で十字状配置に差し込み連結して構成した強化段ボール材からなる十字状連結具と、
前記十字状連結具の各長辺部分の差し込み凹部に差し込み用辺部を差し込むこの差し込み用辺部の寸法を前記連結材の長辺寸法に合致した四角形板状で所要の表面積を有する強化段ボール材からなる仕切り壁材と、
を有し、
所要個数の十字状連結具と、所要個数の仕切り壁材との差し込み連結により、これらの使用個数に応じた所望面積を有し、仕切り高さを前記連結材、仕切り壁材の寸法により定めた仕切り空間を形成するように構成したことを特徴とする強化段ボール製の簡易パーテーション。
【請求項３】
強化段ボール製の簡易パーテーションであって、
長辺寸法を任意長とした長方形状で、短辺の一端中央から他端側に向けて、かつ、長辺方向中央に相当する位置まで差し込み凹溝穴を形成し、前記各差し込み凹溝穴の位置を合致させる状態で重合する同一形状の２個の連結差し込み部材と、
長方形状で、前記連結差し込み部材の長辺と同一の長辺寸法を有し、連結差し込み部材の短辺寸法の１／２より小さい短辺寸法を有する形状に形成され、前記差し込み凹溝穴の両側の壁面に一方の長辺を合致させた状態で、かつ、連結差し込み部材の長辺方向に沿う状態で前記２個の連結差し込み部材により固着状態で挟み込まれた一対のスペーサ材とを具備し、２個の連結差し込み部材の各長辺部分の間に前記スペーサ材の他方の長辺端面部を底とする仕切り壁材用の差し込み凹部を形成して連結材とし、２個の連結材を上下対向の十字状配置で差し込み凹穴同士を差し込み連結して構成した強化段ボール材からなる十字状連結具と、
前記十字状連結具の各長辺部分の差し込み凹部に差し込む差し込み用辺部の寸法が前記連結材の長辺寸法に等しく、前記差し込み用辺部と直交する方向の辺部の寸法を任意寸法とし所要の表面積を有する四角形板状の強化段ボール材からなる仕切り壁材と、
を有し、
所要個数の十字状連結具と、所要個数の仕切り壁材との差し込み連結により、これらの使用個数に応じた所望面積を有し、仕切り高さを前記連結材、仕切り壁材の寸法により定めた仕切り空間を形成するように構成したことを特徴とする強化段ボール製の簡易パーテーション。
【考案の詳細な説明】
【技術分野】
【０００１】
本考案は、強化段ボール製の簡易パーテーションに関し、詳しくは、両面粘着テープ等を必要とせず、起立安定性に優れ、しかも組み立て、分解が極めて簡略である強化段ボール製の簡易パーテーションに関するものである。
【背景技術】
【０００２】
強化段ボール等の段ボール材は、その組み立て容易性、加工容易性、廃棄容易性等の観点から例えば大震災発生時の際の緊急時対策物資である間仕切り用部材として実用化されている。
【０００３】
例えば、特許文献１には、段ボール製で一定の厚み、面積を有する６面構成の単位パネルを、連結手段を用いて一文字連結、Ｌ字連結、十文字連結の連結態様で連結し、床面上等に所要の空間間を形成するように構成した段ボール製の組立て間仕切りが提案されている。
【０００４】
しかし、特許文献１の段ボール製の組立て間仕切りの場合、一文字連結、Ｌ字連結、十文字連結の態様で隣り合う単位パネル同士を連結する際に、これらを両面粘着テープを用いて連結するか、又は、隣り合う単位パネルと単位パネルとの間にポール部材を介在させこれらを両面粘着テープを用いて連結する構造を採用するものである。
【０００５】
したがって、単位パネルの端面や辺部、ポール部材の端面に必ず所定の配置で両面粘着テープを貼り付けることが必要であり、単位パネルやポール部材の製作や組み立てが煩雑であるとともに、単位パネル同士の一文字連結、Ｌ字連結、十文字連結の態様の連結箇所においては起立安定性を図る部材が存在しないため間仕切り全体として起立安定性の点で必ずしも十分でないと推定される。
【先行技術文献】
【特許文献】
【０００６】
【特許文献１】特開２００６−１６１５２３号公報
【考案の概要】
【考案が解決しようとする課題】
【０００７】
本考案が解決しようとする問題点は、両面粘着テープ等を必要とせず、起立安定性に優れ、しかも組み立て、分解が極めて簡略であるような強化段ボール製の簡易パーテーションが存在しない点である。
【課題を解決するための手段】
【０００８】
本考案は、強化段ボール製の簡易パーテーションであって、長方形状で短辺の一端中央から他端側に向けて差し込み凹溝穴を設けた同一形状の２個の連結差し込み部材を重合するとともに、その間に前記差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成することにより連結材を構成し、２個の連結材を十字状配置に差し込み連結して構成した強化段ボール材からなる十字状連結具と、前記十字状連結具の各長辺部分の差し込み凹部に辺部を差し込む四角形板状で所要の表面積を有する強化段ボール材からなる仕切り壁材と、を有し、所要個数の十字状連結具と、所要個数の仕切り壁材との差し込み連結により、これらの使用個数に応じた所望面積の仕切り空間を形成するように構成したことを最も主要な特徴とする
【考案の効果】
【０００９】
請求項１記載の考案によれば、両面粘着テープ等を全く必要とせず、十字状連結具や仕切り壁材の製作が煩雑化することはなく、また、所望の形状、床面積、仕切り高さを有する仕切り空間の形成が極めて簡略容易であり、全体として起立安定性に優れ、更に、緊急用被災物資として備蓄する場合にも、各要素の積層収納の簡略化、保管場所の省スペース化を図ることができ、加えて廃棄処分も簡単で再資源利用も可能になる等優れた効果を発揮する強化段ボール製の簡易パーテーションを実現し提供することができる。
【００１０】
請求項２記載の考案によれば、長辺寸法を任意長とした長方形状で短辺の一端中央から他端側に向けて差し込み凹溝穴を設けた同一形状の２個の連結差し込み部材を重合し、その間に差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成した連結材を２個用い、各差し込み凹溝穴同士を対向配置状態で十字状配置に差し込み連結して構成した強化段ボール材からなる十字状連結具と、十字状連結具の各長辺部分の差し込み凹部に辺部を差し込むこの辺部の寸法を前記連結材の長辺寸法に合致した四角形板状で所要の表面積を有する強化段ボール材からなる仕切り壁材と、からなる構成の基に、請求項１記載の考案と同様、両面粘着テープ等を全く必要とせず、十字状連結具や仕切り壁材の製作が煩雑化することはなく、また、所望の形状、床面積、仕切り高さを有する仕切り空間の形成が極めて簡略容易であり、全体として起立安定性に優れ、更に、緊急用被災物資として備蓄する場合にも、各要素の積層収納の簡略化、保管場所の省スペース化を図ることができ、加えて廃棄処分も簡単で再資源利用も可能になる等優れた効果を発揮する強化段ボール製の簡易パーテーションを実現し提供することができる。
【００１１】
請求項３記載の考案によれば、長辺寸法を任意長とした長方形状で、短辺の一端中央から他端側に向けて、かつ、長辺方向中央に相当する位置まで差し込み凹溝穴を形成し、前記各差し込み凹溝穴の位置を合致させる状態で重合する同一形状の２個の連結差し込み部材と、長方形状で、前記連結差し込み部材の長辺と同一の長辺寸法を有し、連結差し込み部材の短辺寸法の１／２より小さい短辺寸法を有する形状に形成され、前記差し込み凹溝穴の両側の壁面に一方の長辺を合致させた状態で、かつ、連結差し込み部材の長辺方向に沿う状態で前記２個の連結差し込み部材により固着状態で挟み込まれた一対のスペーサ材とを具備し、２個の連結差し込み部材の各長辺部分の間に前記スペーサ材の他方の長辺端面部を底とする仕切り壁材用の差し込み凹部を形成して連結材とし、２個の連結材を上下対向の十字状配置で差し込み凹穴同士を差し込み連結して構成した強化段ボール材からなる十字状連結具と、十字状連結具の各長辺部分の差し込み凹部に差し込む差し込み用辺部の寸法が前記連結材の長辺寸法に等しく、前記差し込み用辺部と直交する方向の辺部の寸法を任意寸法とし所要の表面積を有する四角形板状の強化段ボール材からなる仕切り壁材と、からなる構成の基に、請求項２記載の考案と同様、両面粘着テープ等を全く必要とせず、十字状連結具や仕切り壁材の製作が煩雑化することはなく、また、所望の形状、床面積、仕切り高さを有する仕切り空間の形成が極めて簡略容易であり、全体として起立安定性に優れ、更に、緊急用被災物資として備蓄する場合にも、各要素の積層収納の簡略化、保管場所の省スペース化を図ることができ、加えて廃棄処分も簡単で再資源利用も可能になる等優れた効果を発揮する強化段ボール製の簡易パーテーションを実現し提供することができる。
【図面の簡単な説明】
【００１２】
【図１】図１は本考案の実施例に係る強化段ボール製の簡易パーテーションの組み立て状態の一例を示す概略斜視図である。
【図２】図２は本実施例に係る強化段ボール製の簡易パーテーションを構成する連結差し込み部材の概略平面図である。
【図３】図３は本実施例に係る強化段ボール製の簡易パーテーションを構成するスペーサ材の概略平面図である。
【図４】図４は本実施例における連結差し込み部材にスペーサ材を添着した状態を示す概略斜視図である。
【図５】図５は本実施例における連結材を示す概略斜視図である。
【図６】図６は本実施例における２個の連結材の差し込み状態を示す概略斜視図である。
【図７】図７は本実施例における十字状連結具を示す概略斜視図である。
【図８】図８本実施例における十字状連結具に仕切り壁材を差し込む状態を示す概略斜視図である。
【図９】図９は本実施例における強化段ボール製の簡易パーテーションを構成する強化段ボール素材の端面の概略説明図である。
【考案を実施するための形態】
【００１３】
本考案は、両面粘着テープ等を必要とせず、起立安定性に優れ、しかも、組み立て、分解が極めて簡略である強化段ボール製の簡易パーテーションを実現し提供するという問題を、強化段ボール製の簡易パーテーションであって、長辺寸法を任意長とした長方形状で短辺の一端中央から他端側に向けて差し込み凹溝穴を設けた同一形状の２個の連結差し込み部材を重合するとともに、その間に前記差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成することにより連結材を構成し、２個の連結材を各差し込み凹溝穴同士を対向配置状態で十字状配置に差し込み連結して構成した強化段ボール材からなる十字状連結具と、前記十字状連結具の各長辺部分の差し込み凹部に差し込み用辺部を差し込むこの差し込み用辺部の寸法を前記連結材の長辺寸法に合致した四角形板状で所要の表面積を有する強化段ボール材からなる仕切り壁材と、を有し、所要個数の十字状連結具と、所要個数の仕切り壁材との差し込み連結により、これらの使用個数に応じた所望面積を有し、仕切り高さを前記連結材、仕切り壁材の寸法により定めた仕切り空間を形成する構成により実現した。
【実施例】
【００１４】
以下、本考案の実施例に係る強化段ボール製の簡易パーテーションについて図面を参照して詳細に説明する。
【００１５】
本実施例に係る強化段ボール製の簡易パーテーション１は、図１に示すように、強化段ボール材からなる十字状連結具２と、前記十字状連結具２の各長辺部分の差し込み凹部１５に差し込み用辺部２１ａを差し込む四角形板状で所要の表面積を有する強化段ボール材からなる仕切り壁材２１と、を用い、平面視長方形状で所望の床面積を有し、一方に出入口３２を有する仕切り空間３１を形成した例を示すものである。
【００１６】
前記強化段ボール製の簡易パーテーション１を構成するための強化段ボール素材５１としては、図９に示すように、平板状の４枚のライナー５２と、端面が波形状の３枚の中芯５３とを、前記各中芯５３が各ライナー５２で挟まれるように重合した中芯３層構造とした例を挙げることができる。
【００１７】
本実施例においては、強化段ボール素材５１を用意し、図示していないがコンピュータ制御のカッタ装置又はプレス（裁断機）で裁断、加工して、十字状連結具２を構成する連結材１１、仕切り壁材２１を各々形成するものである。
【００１８】
次に、前記連結材１１について図２乃至図５を参照して詳述する。
【００１９】
前記連結材１１は、図２に示す連結差し込み部材１２を２個、図３に示すスペーサ材１４を２個用いて構成している。すなわち、前記連結差し込み部材１２は、図２に示すように、長辺１２ａの寸法を任意長（例えば１０００ｍｍ）とし、短辺１２ｂの寸法を例えば５００ｍｍとした長方形状で、短辺１２ｂの一端中央から他端側に向けて、かつ、長辺方向中央に相当する位置（すなわち５００ｍｍ）まで例えば４０ｍｍ幅の差し込み凹溝穴１３を形成することにより構成している。
【００２０】
また、前記スペーサ材１４は、図３に示すように、長辺１４ａの寸法を前記連結差し込み部材１２と等しい１０００ｍｍとし、短辺１４ｂの寸法を連結差し込み部材の短辺寸法の１／２より小さい寸法、例えば１００ｍｍとした長方形状に形成している。
【００２１】
そして、図４に示すように、前記スペーサ材１４を２個用い、１個の連結差し込み部材１２の差し込み凹溝穴１３の両側の壁面に前記２個のスペーサ材１４各々の一方の長辺１４ａを各々合致させた状態で、かつ、連結差し込み部材１２の長辺方向に沿う状態で、例えば図示しないが糊付け若しくは接着剤により又は面ファスナー又はオスメス釦等の仮止め具を用いて添着し、更に、この上から他の１個の連結差し込み部材１２を同様にして前記１個の連結差し込み部材１２と外周及び差し込み凹溝穴１３の位置を合致させた状態で添着し、これにより、２個の連結差し込み部材１２により２個のスペーサ材１４を固着状態で又は仮止め状態で挟み込んだ形態の図５に示すような連結材１１を構成している。
【００２２】
このようにして構成した前記連結材１１には、２個の連結差し込み部材１２、１２の各長辺部分の間に、前記スペーサ材１４の他方の長辺端面部を底とする後述する仕切り壁材２１用の差し込み凹部１５が形成されている。
なお、図２、図３において、丸穴内又は半丸穴内の複数の縦線は、前記中芯５３の波目方向を示すものである。
【００２３】
次に、前記十字状連結具２について図６、図７を参照して説明する。
【００２４】
この十字状連結具２は、図６に示すように、２個の連結材１１、１１を上下対向の十字状配置とし前記差し込み凹溝穴１３、１３同士を差し込み連結し、図７に示すように、２個の連結材１１、１１が平面視十字状を呈するように一体的に連結され、各連結材１１の長辺部分に差し込み凹部１５を備える構成となっている。
【００２５】
なお、前記連結差し込み部材１２の長辺１２ａ、短辺１２ｂ、スペーサ材１４の寸法は、上述した例に限定されるものではなく、前記簡易パーテーション１の使用目的に応じ種々に変更し得ることは言うまでもない。
【００２６】
前記仕切り壁材２１は、図８に示すように、例えば前記十字状連結具２の各長辺部分の差し込み凹部１５に差し込む差し込み用辺部２１ａの寸法が前記連結材１１の長辺寸法に等しく、前記差し込み用辺部２１ａと直交する方向の辺部２１ｂの寸法を任意寸法とし所要の表面積を有する四角形板状に形成している。
【００２７】
前記仕切り壁材２１の一つの寸法例としては、例えば、差し込み用辺部２１ａの寸法１０００ｍｍ、辺部２１ｂの寸法１０００ｍｍ等々の例を挙げることができるが、前記差し込み用辺部２１ａの寸法は前記連結差し込み部材１２の長辺１２ａに対応させた寸法とし、辺部２１ｂの寸法は、所望の寸法とする仕様を採用し得ることは勿論である。
【００２８】
そして、図８に示すような前記十字状連結具２と前記仕切り壁材２１との差し込み連結態様の基に、例えば、前記十字状連結具２を６個、仕切り壁材２１を５個使用する態様で、図１に示すように、３個の十字状連結具２を一定間隔を隔て一列に直線状に配置し、更に、これらの側方に一定間隔を隔て同様に別の３個の十字状連結具２を配置して、これらの間に５個の仕切り壁材２１を差し込み連結して、平面視長方形状で所望の床面積を有し、一方に出入口３２を有する仕切り空間３１を形成するものである。
【００２９】
なお、図１に示す強化段ボール製の簡易パーテーション１は、一例を示すもので、前記十字状連結具２、仕切り壁材２１の使用個数及び配置、前記十字状連結具２、仕切り壁材２１の高さに応じた所望の形状及び床面積、所望の高さを有する仕切り空間３１を形成し得ることは言うまでもない。
【００３０】
以上説明した本実施例の強化段ボール製の簡易パーテーション１によれば、各長辺部分に差し込み凹部１５を有する２個の連結材１１の組み合わせで強化段ボール材からなる所要数の十字状連結具２と、強化段ボール材からなる所要数の仕切り壁材２１とのみから構成したものである。
【００３１】
したがって、従来例のような両面粘着テープ等を全く必要とせず、十字状連結具２や仕切り壁材２１の製作が煩雑化することはなく、また、所望の形状、床面積、仕切り高さを有する仕切り空間３１の形成が極めて簡略容易であるという利点を有するものである。
【００３２】
更に、各仕切り壁材２１は各十字状連結具２を介して連結されることから、各仕切り壁材２１の連結箇所は床面と接触する底辺部分が外方に突出する各十字状連結具２により安定した状態で起立保持されることになり、前記簡易パーテーション１全体として起立安定性に優れるという利点も存するものである。
【００３３】
更にまた、本実施例の強化段ボール製の簡易パーテーション１を構成する要素点数が少なく、安価に製造でき、分解した２個の連結材１１と、平坦な仕切り壁材２１とを、緊急用被災物資として備蓄する場合にも、積層収納の簡略化、保管場所の省スペース化を図ることができ、加えて廃棄処分も簡単で再資源利用も可能になる等優れた効果を発揮するものである。
【産業上の利用可能性】
【００３４】
本考案の強化段ボール製の簡易パーテーションは、震災発生時における体育館、公民館等のような各種避難場所における組み立て、分解容易な簡略な間仕切りとして、また、震災発生時でなくてもオフィス、工場等における組み立て、分解容易な簡略な間仕切りとして広範に利用可能である。
【符号の説明】
【００３５】
１    強化段ボール製の簡易パーテーション
２    十字状連結具
１１    連結材
１２    連結差し込み部材
１２ａ  長辺
１２ｂ  短辺
１３    差し込み凹溝穴
１４    スペーサ材
１４ａ  長辺
１４ｂ  短辺
１５    差し込み凹部
２１    仕切り壁材
２１ａ  差し込み用辺部
２１ｂ  辺部
３１    仕切り空間
３２    出入口
５１    強化段ボール素材
５２    ライナー
５３    中芯
【図１】
0003177322.tif 000003
【図２】
0003177322.tif 000004
【図３】
0003177322.tif 000005
【図４】
0003177322.tif 000006
【図５】
0003177322.tif 000007
【図６】
0003177322.tif 000008
【図７】
0003177322.tif 000009
【図８】
0003177322.tif 000010
【図９】
0003177322.tif 000011